(57)【特許請求の範囲】
【請求項１】
光記録装置が、一の記録層と他の記録層とを含む複数層からなる記録媒体にレーザ光を照射して情報の記録を行う際に、前記一の記録層のテスト領域にテスト情報の記録及び再生を行って記録条件を決定し、該記録条件に基づいて前記記録媒体にレーザ光を照射して情報の記録を行う光記録方法であって、
前記光記録装置は、
少なくとも前記一の記録層と前記他の記録層のそれぞれにおける記録条件と相関関係を有する所定の物理特性値と前記記録条件とを対応付けて参照データとして、複数種の記録媒体における前記参照データを蓄積したデータテーブルを予め備えており、
前記一の記録層にテスト情報の記録及び再生を行う基準記録層テストステップと、
前記基準記録層テストステップにより得られたテスト結果に基づいて第一記録層への情報の記録に適した記録条件を導出する第一記録条件導出ステップと、
前記導出した記録条件と相関関係にある前記一の記録層における前記物理特性値を検出する第一特性値検出ステップと、
前記他の記録層における前記物理特性値を検出する第二特性値検出ステップと、
前記第一記録条件導出ステップにおいて導出した記録条件及び前記第一特性値検出ステップにおいて検出した物理特性値並びに前記第二特性値検出ステップにおいて検出した物理特性値に一致する参照データを前記データテーブルから抽出する抽出ステップと、
前記抽出した参照データにおける記録条件を、情報記録対象となる記録媒体の前記他の記録層への情報の記録条件とする記録条件決定ステップとを実行する
ことを特徴とする光記録方法。
【請求項２】
前記光記録装置は、
前記一の記録層のみにテスト情報の記録を行うことを特徴とする請求項１に記載の光記録方法。
【請求項３】
前記光記録装置は、
前記抽出ステップにおいて一致する参照データが存在しないとき、前記第一記録条件導出ステップにおいて導出した記録条件及び前記第一特性値検出ステップにおいて検出した物理特性値並びに前記第二特性値検出ステップにおいて検出した物理特性値に最も近い参照データを前記データテーブルから抽出する第二抽出ステップと、
前記第二抽出ステップにおいて抽出した参照データに基づいて、データテーブルに格納された第一の記録層の物理特性値と他の記録層の物理特性値との間の比率を算出し、情報記録対象となる記録媒体の一の記録層のテスト記録の結果から得られる第一の記録層への記録条件に対して前記比率を演算して、他の記録層の記録条件を導出する第二記録条件導出ステップとを実行する
ことを特徴とする請求項１に記載の光記録方法。
【請求項４】
前記物理特性値として、記録媒体へレーザ光を照射したときの戻り光における所定物理量の値を用いる
ことを特徴とする請求項１に記載の光記録方法。
【請求項５】
前記物理特性値として、前記戻り光の反射率の値を用いる
ことを特徴とする請求項４に記載の光記録方法。
【請求項６】
前記光記録装置は、
前記導出した他の記録層の記録条件を用いて他の記録層のテストエリアにてテスト情報の記録及び再生を行う他の記録層テストステップと、
該テストの結果、指定速度で記録可能と判断されるときは記録対象となるデータの記録動作を行い、指定速度で記録困難と判断される場合は記録速度を低下させて記録対象となるデータの記録動作を行うデータ記録ステップとを実行する
ことを特徴とする請求項１に記載の光記録方法。
【請求項７】
前記光記録装置は、
前記導出した他の記録層の記録条件を用いて他の記録層のテストエリアにてテスト情報の記録及び再生を行う他の記録層テストステップと、
該テストの結果、指定速度で記録可能と判断されるときは記録対象となるデータの記録動作を行い、指定速度で記録困難と判断される場合は記録対象となるデータの記録動作を中止するデータ記録ステップとを実行する
ことを特徴とする請求項１に記載の光記録方法。
【請求項８】
前記光記録装置は、
前記導出した他の記録層の記録条件を用いて他の記録層のテストエリアにてテスト情報の記録及び再生を行う他の記録層テストステップを実行すると共に、
該テストの結果、指定速度で記録可能と判断されるときは記録対象となるデータの記録動作を行い、指定速度で記録困難と判断されるときは、前記第二特性値検出ステップと抽出ステップと記録条件決定ステップとを再度実行する
ことを特徴とする請求項１に記載の光記録方法。
【請求項９】
前記光記録装置は、
前記導出した他の記録層の記録条件を用いて他の記録層のテストエリアにてテスト情報の記録及び再生を行う他の記録層テストステップを実行すると共に、
該テストの結果、指定速度で記録可能と判断されるときは記録対象となるデータの記録動作を行い、指定速度で記録困難と判断されるときは、前記第二抽出ステップと第二記録条件導出ステップとを再度実行する
ことを特徴とする請求項３に記載の光記録方法。
【請求項１０】
前記光記録装置は、
前記導出した他の記録層の記録条件を用いて他の記録層のテストエリアにてテスト情報の記録及び再生を行う他の記録層テストステップを実行すると共に、
該テストの結果、指定速度で記録可能と判断されるときは記録対象となるデータの記録動作を行い、指定速度で記録困難と判断される場合は前記他の記録層テストステップを再度実行する
ことを特徴とする請求項１又は請求項３に記載の光記録方法。
【請求項１１】
前記光記録装置は、前記テストの結果に基づく指定速度での記録が可能か否かの判断結果を表示器に表示する判断結果表示ステップを実行する
ことを特徴とする請求項６乃至請求項１０の何れかに記載の光記録方法。
【請求項１２】
前記光記録装置は、
情報記録対象となる記録媒体から該記録媒体の識別情報を読みとる識別情報読みとりステップと、
取得した物理特性値及び該特性値より求めた記録条件並びに記録媒体の識別情報を該識別情報に対応させて光記録装置内のメモリまたは記録媒体の少なくとも何れか一方に記録する結果記録ステップとを実行する
ことを特徴とする請求項３に記載の光記録方法。
【請求項１３】
一の記録層と他の記録層とを含む複数層からなる記録媒体にレーザ光を照射して情報の記録を行う際に、前記一の記録層のテスト領域にテスト情報の記録及び再生を行って記録条件を決定し、該記録条件に基づいて前記記録媒体にレーザ光を照射して情報の記録を行う光記録装置であって、
少なくとも前記一の記録層と前記他の記録層のそれぞれの記録条件と相関関係を有する物理特性値と前記記録条件とを対応付けて参照データとして、複数種の記録媒体における前記参照データを蓄積したデータテーブルと、
前記一の記録層にテスト情報の記録及び再生を行う第一記録層テスト手段と、
前記第一記録層テスト手段により得られたテスト結果に基づいて第一記録層への情報の記録に適した記録条件を導出する第一記録条件導出手段と、
前記導出した記録条件と相関関係にある前記一の記録層における所定の物理特性値を検出する第一特性値検出手段と、
前記他の記録層における前記物理特性値を検出する第二特性値検出手段と、
前記第一記録条件導出手段によって導出した記録条件及び前記第一特性値検出手段によって検出した物理特性値並びに前記第二特性値検出手段によって検出した物理特性値に一致する参照データを前記データテーブルから抽出する抽出手段と、
前記抽出した参照データにおける記録条件を、情報記録対象となる記録媒体の前記他の記録層への情報の記録条件とする記録条件決定手段とを備えている
ことを特徴とする光記録装置。
【請求項１４】
前記抽出手段による抽出時に一致する参照データが存在しないとき、前記第一記録条件導出手段によって導出した記録条件及び前記第一特性値検出手段によって検出した物理特性値並びに前記第二特性値検出手段によって検出した物理特性値に最も近い参照データを前記データテーブルから抽出する第二抽出手段と、
前記第二抽出手段によって抽出した参照データに基づいて、データテーブルに格納された第一の記録層の物理特性値と他の記録層の物理特性値との間の比率を算出し、情報記録対象となる記録媒体の一の記録層のテスト記録の結果から得られる第一の記録層への記録条件に対して前記比率を演算して、他の記録層の記録条件を導出する第二記録条件導出手段とを備えている
ことを特徴とする請求項１３に記載の光記録装置。
【請求項１５】
前記記録媒体の所定の記録層にレーザ光を照射したときの戻り光を受光して前記記録層の前記物理特性値を求める手段を備えている
ことを特徴とする請求項１３又は請求項１４に記載の光記録装置。
【請求項１６】
前記物理特性値として、前記戻り光の反射率を用いる
ことを特徴とする請求項１５に記載の光記録装置。
【請求項１７】
一の記録層と他の記録層とを含む複数層からなる記録媒体にレーザ光を照射して情報の記録を行う際に、前記一の記録層のテスト領域にテスト情報の記録及び再生を行って記録条件を決定し、該記録条件に基づいて前記記録媒体にレーザ光を照射して情報の記録を行う光記録装置に用いるワンチップＣＰＵ素子であって、
動作制御を行うコンピュータプログラムが記録されているメモリ回路を有し、
前記メモリ回路には、
少なくとも前記一の記録層と前記他の記録層のそれぞれの記録条件と相関関係を有する物理特性値と前記記録条件とを対応付けて参照データとして、複数種の記録媒体における前記参照データを蓄積したデータテーブルが記憶されていると共に、
前記一の記録層にテスト情報の記録及び再生を行う基準記録層テストステップと、
前記基準記録層テストステップにより得られたテスト結果に基づいて第一記録層への情報の記録に適した記録条件を導出する第一記録条件導出ステップと、
前記導出した記録条件と相関関係にある前記一の記録層における所定の物理特性値を検出する第一特性値検出ステップと、
前記他の記録層における前記物理特性値を検出する第二特性値検出ステップと、
前記第一記録条件導出ステップによって導出した記録条件及び前記第一特性値検出ステップによって検出した物理特性値並びに前記第二特性値検出ステップによって検出した物理特性値に一致する参照データを前記データテーブルから抽出する抽出ステップと、
前記抽出した参照データにおける記録条件を、情報記録対象となる記録媒体の前記他の記録層への情報の記録条件とする記録条件決定ステップとを含むコンピュータプログラムが格納されている
ことを特徴とするワンチップＣＰＵ素子。
【請求項１８】
一の記録層と他の記録層とを含む複数層からなる記録媒体にレーザ光を照射して情報の記録を行う際に、前記一の記録層のテスト領域にテスト情報の記録及び再生を行って記録条件を決定し、該記録条件に基づいて前記記録媒体にレーザ光を照射して情報の記録を行う光記録装置に用いるワンチップＣＰＵ素子であって、
動作制御を行うコンピュータプログラムが記録されているメモリ回路を有し、
前記メモリ回路には、
少なくとも前記一の記録層と前記他の記録層のそれぞれの物理特性値と前記記録条件とを対応付けて参照データとして、複数種の記録媒体における前記参照データを蓄積したデータテーブルが記憶されていると共に、
前記一の記録層にテスト情報の記録及び再生を行う基準記録層テストステップと、
前記基準記録層テストステップにより得られたテスト結果に基づいて第一記録層への情報の記録に適した記録条件を導出する第一記録条件導出ステップと、
前記導出した記録条件と相関関係にある前記一の記録層における所定の物理特性値を検出する第一特性値検出ステップと、
前記他の記録層における前記物理特性値を検出する第二特性値検出ステップと、
前記第一記録条件導出ステップによって導出した記録条件及び前記第一特性値検出ステップによって検出した物理特性値並びに前記第二特性値検出ステップによって検出した物理特性値に一致する参照データが存在するときに、該参照データを前記データテーブルから抽出する抽出ステップと、
前記抽出ステップによる抽出時に一致する参照データが存在しないときに、前記第一記録条件導出ステップによって導出した記録条件及び前記第一特性値検出ステップによって検出した物理特性値並びに前記第二特性値検出ステップによって検出した物理特性値に最も近い参照データを前記データテーブルから抽出する第二抽出ステップと、
前記第二抽出ステップによって抽出した参照データに基づいて、データテーブルに格納された第一の記録層の物理特性値と他の記録層の物理特性値との間の比率を算出し、情報記録対象となる記録媒体の一の記録層のテスト記録の結果から得られる第一の記録層への記録条件に対して前記比率を演算して、他の記録層の記録条件を導出する第二記録条件導出ステップと、
前記抽出ステップにおいて抽出した参照データにおける記録条件或いは前記第二記録条件導出ステップにおいて導出した記録条件を、情報記録対象となる記録媒体の前記他の記録層への情報の記録条件とする記録条件決定ステップとを含むコンピュータプログラムが格納されている
ことを特徴とするワンチップＣＰＵ素子。
【請求項１９】
一の記録層と他の記録層とを含む複数層からなる記録媒体にレーザ光を照射して情報の記録を行う際に、前記一の記録層のテスト領域にテスト情報の記録及び再生を行って記録条件を決定し、該記録条件に基づいて前記記録媒体にレーザ光を照射して情報の記録を行う光記録装置に用いるＣＰＵ素子を動作させるコンピュータプログラムであって、
前記請求項１乃至請求項１２の何れかに記載の処理ステップを含むことを特徴とするコンピュータプログラム。
【発明の詳細な説明】
【技術分野】
【０００１】
本発明は、複数の記録層を有する光記録媒体への情報の記録に関するもので、特に、情報書き込み時のテスト時間を短縮可能な光記録方法、光記録装置、マイクロＣＰＵ素子、及びコンピュータプログラムに関するものである。
【背景技術】
【０００２】
従来、レーザ光を用いて周知のＤＶＤ等の光記録メディア（光記録媒体）にデータを記録する光記録装置において、所定の記録メディアにデータ記録を行う場合、一般的には、実際のデータ記録に先立って、記録メディア内に設けられたテスト記録領域を用いたテスト記録によって、記録メディアに適した記録条件を求めることがなされている。
【０００３】
しかし、高速および大容量記録要求の高まる光記録装置において、複数の記録層を有する多層型光記録メディアにデータ記録を行う際、各記録層によって記録感度、光の反射率、熱伝導率等の物理特性が異なるため、該各記録層に応じた記録パルス条件を求める必要がある。
【０００４】
このような記録パルス条件を求める従来技術としては、図１５及び図１６に示すように、各記録メディアの種類毎に記録速度等の条件に応じて、各記録層毎に良好な記が可能な記録パルス条件を記録したデータテーブルを記録ドライブ（光記録装置）のメモリに予め持たせておき、実際に記録メディアにデータ記録を行う際には、記録メディア種別、記録層、記録速度に応じた記録パルス条件を上記データテーブルから読み出して、これを設定し、データの記録を行うといった方法が一般的に用いられている。
【０００５】
また、記録ドライブ自体の個体差やバラツキ或いはレーザの温度依存性等を考慮し、記録レーザパワーの条件のみをデータ記録に先立って行われるテスト記録において調整を行うといった方法も一般的に用いられている。
【０００６】
しかし、上記従来技術においては、記録レーザパワーのみで補えない記録メディアおよび光記録装置の持つ特性バラツキに十分に対応できず、さらには記録装置に予めメモリされなかった光記録メディアおよび光記録装置が発売された後に発売された光記録メディア(ファームアップという形で一部は対応)等の「未知の種類の光記録メディア」に対しても十分な対応ができないといった課題点を有する。
【０００７】
そこで複数の記録層を有する多層型光記録メディアの記録方法として、例えば、特開2003-178448号公報に開示される技術が知られている。
【０００８】
この技術では、入射光側から見て、最奥の記録層に対して、手前の記録層の熱冷却を急峻に行うようにストラテジ設計を行う。レーザパワー制御はＯＰＣにより、ピークパワーとボトムパワーを変化させて、評価パラメータ(例えば、変調、誤り率、ジッタ)が所定値になるように繰り返す。パルス幅制御は、ボトム期間、クーリング期間等を延ばすことによって冷却を高めるように設定し、最奥・手前の記録層ともに良好な記録品位を得ている。
【特許文献１】特開２００３−１７８４４８号公報
【特許文献２】特開２００５−１００６１０号公報
【特許文献３】特開２００３−２２５３２号公報
【特許文献４】特開２００４−１７１７４０号公報
【特許文献５】特開２００４−２４７０２４号公報
【特許文献６】ＷＯ２００２−０２９７９１号公報
【発明の開示】
【発明が解決しようとする課題】
【０００９】
しかしながら、特開2003-178448号公報に開示される技術では、レーザパワー制御のためにピークパワーとボトムパワーを、パルス幅制御にボトムパルスとクーリングパルスを最適記録条件になるまで繰り返しテスト記録を各記録層で行うため、各記録層での最適記録条件を得るまでに時間がかかってしまうという問題が生じる。これは多層であればあるほど各層での調整に時間がかかるため全体としてのテスト記録時間が増加してしまう。
【００１０】
本発明は前記問題点に鑑みてなされたものであり、その目的とするところは、情報記録前のテスト時間を短縮して情報を短時間で記録できる光記録方法、光記録装置、ワンチップＣＰＵ素子、及びコンピュータプログラムを提供することにある。
【課題を解決するための手段】
【００１１】
本発明は前記目的を達成するために、光記録装置が、一の記録層と他の記録層とを含む複数層からなる記録媒体にレーザ光を照射して情報の記録を行う際に、前記一の記録層のテスト領域にテスト情報の記録及び再生を行って記録条件を決定し、該記録条件に基づいて前記記録媒体にレーザ光を照射して情報の記録を行う光記録方法であって、前記光記録装置は、少なくとも前記一の記録層と前記他の記録層のそれぞれにおける記録条件と相関関係を有する所定の物理特性値と前記記録条件とを対応付けて参照データとして、複数種の記録媒体における前記参照データを蓄積したデータテーブルを予め備えており、前記一の記録層にテスト情報の記録及び再生を行う基準記録層テストステップと、前記基準記録層テストステップにより得られたテスト結果に基づいて第一記録層への情報の記録に適した記録条件を導出する第一記録条件導出ステップと、前記導出した記録条件と相関関係にある前記一の記録層における前記物理特性値を検出する第一特性値検出ステップと、前記他の記録層における前記物理特性値を検出する第二特性値検出ステップと、前記第一記録条件導出ステップにおいて導出した記録条件及び前記第一特性値検出ステップにおいて検出した物理特性値並びに前記第二特性値検出ステップにおいて検出した物理特性値に一致する参照データを前記データテーブルから抽出する抽出ステップと、前記抽出した参照データにおける記録条件を、情報記録対象となる記録媒体の前記他の記録層への情報の記録条件とする記録条件決定ステップとを実行する光記録方法を提案する。
【００１２】
本発明の光記録方法によれば、前記一の記録層にテスト情報の記録及び再生が行われ、該記録及び再生により得られたテスト結果に基づいて前記一の記録層への情報の記録に適した記録条件が導出される。さらに、前記導出した記録条件と相関関係にある前記一の記録層における前記物理特性値が検出されると共に前記他の記録層における前記物理特性値が検出される。また、前記一の記録層における記録条件及び物理特性値並びに前記他の記録層における物理特性値に一致する参照データが前記データテーブルから抽出され、抽出された参照データにおける記録条件が情報記録対象となる記録媒体の前記他の記録層への情報の記録条件とされる。
【００１３】
また、一致する参照データが存在しないときは、一の記録層における記録条件及び物理特性値並びに他の記録層における物理特性値に最も近い参照データが前記データテーブルから抽出され、抽出された参照データに基づいて、データテーブルに格納された第一の記録層の物理特性値と他の記録層の物理特性値との間の比率が算出され、情報記録対象となる記録媒体の一の記録層のテスト記録の結果から得られる第一の記録層への記録条件に対して前記比率が演算されて、他の記録層の記録条件が導出される。
【００１４】
また、本発明は、上記の目的を達成するために、上記光記録方法における各処理ステップを実行する手段を備えた光記録装置と、該光記録装置に用いるワンチップＣＰＵ素子、及び前記光記録装置に用いるＣＰＵを駆動して前記光記録方法を実行するコンピュータプログラムを提案する。
【発明の効果】
【００１５】
本発明の光記録方法によれば、一の記録層における記録条件及び物理特性値並びに他の記録層における物理特性値に一致する参照データがデータテーブルから抽出され、抽出された参照データにおける記録条件が情報記録対象となる記録媒体の他の記録層への情報の記録条件とされるので、未知の種類の記録媒体や特性バラツキのある記録媒体であっても、他の記録層の記録パルス条件をテスト記録を行わずに短時間で最適調整することができると共に、記録装置や、記録媒体、記録速度等の記録条件が異なっても高品位な記録が可能となる。さらに、テスト記録に用いる記録領域を従来に比べて削減することができる。
【００１６】
また、一の記録層における記録条件及び物理特性値並びに他の記録層における物理特性値に一致する参照データが存在しないときも、一の記録層における記録条件及び物理特性値並びに他の記録層における物理特性値に最も近い参照データがデータテーブルから抽出され、抽出された参照データに基づいて、データテーブルに格納された第一の記録層の物理特性値と他の記録層の物理特性値との間の比率が算出され、情報記録対象となる記録媒体の一の記録層のテスト記録の結果から得られる第一の記録層への記録条件に対して前記比率が演算されて、他の記録層の記録条件が導出されるので、未知の種類の記録媒体や特性バラツキのある記録媒体であっても、他の記録層の記録パルス条件をテスト記録を行わずに短時間で最適調整することができると共に、記録装置や、記録媒体、記録速度等の記録条件が異なっても高品位な記録が可能となる。さらに、テスト記録に用いる記録領域を従来に比べて削減することができる。
【００１７】
また、本発明の光記録装置によれば、上記光記録方法を容易に実現することができる。
【００１８】
さらに、本発明のマイクロＣＰＵ素子によれば、上記光記録方法を容易に実現することができる。
【００１９】
また、本発明のコンピュータプログラムによれば、任意のＣＰＵを用いて上記光記録方法を容易に実現することができる。
【発明を実施するための最良の形態】
【００２０】
以下、図面を参照して本発明の一実施形態を説明する。
【００２１】
図１は本発明の第１実施形態における光記録装置の構成及び光ディスクの構成を示す図である。図において、１０は光ディスクで、周知のＤＶＤ、ＨＤ−ＤＶＤ、Ｂｌｕ−ｒａｙディスク等の多層型光記録媒体であり、本実施形態ではレーザ光照射面から最も離れた位置から第１記録層１１、第２記録層１２の順で２つの記録層を有する光記録媒体である。尚、本実施形態では２つの記録層を有する光記録媒体を用いて説明するが、３層以上の記録層を有する光記録媒体を光ディスク１０として光記録装置100によって情報の記録再生を行うことができる。
【００２２】
100は光記録装置で、光ピックアップ110と、レーザダイオード（以下、ＬＤと称する）ドライバ121、スライサ122、データ復調回路123、特性値検出部124、ワンチップＣＰＵ素子（以下、ＣＰＵと称する）125、メモリ127、インタフェース（以下、Ｉ／Ｆと称する）128とを備えている。尚、ここでは、本発明に特に関係する構成部分のみを記載して説明する。
【００２３】
また、光記録装置100には、パーソナルコンピュータやディスプレイ等からなる表示部131と、キーボード等からなる操作部132が接続されている。
【００２４】
光ピックアップ110は、レーザダイオード（以下、ＬＤと称する）111と、フォトディテクタ（以下、ＰＤと称する）112、コリメートレンズ113、対物レンズ114、検出レンズ115、ビームスプリッタ116を有している。ＬＤ111から射出されたレーザ光はコリメートレンズ113とビームスプリッタ116と対物レンズ114を透過して光ディスク１０に照射される。また、光ディスク１０によって反射されたレーザ光は対物レンズ114を透過した後にビームスプリッタ116によって反射され、検出レンズ115を介してＰＤ112に入射される。ＰＤ112は入射した光の光量に対応した値の電流を出力する。
【００２５】
ＬＤドライバ121はＣＰＵ素子125から入力した記録信号に基づいてＬＤ111に駆動電流を供給してＬＤ111を発光させる。
【００２６】
スライサ122は、ＰＤ112から出力電流を所定の閾値でスライスして２値化電圧信号に変換して出力する。
【００２７】
データ復調回路123は、スライサ122から出力される符号化されている２値化信号を復調してＣＰＵ125に出力する回路であり、例えば、スライサ122から出力された２値化電圧信号である３Ｔ〜１１Ｔのパルス幅でＥＦＭ変調されて符号化された信号を復調したディジタル信号をＣＰＵ125に出力する。
【００２８】
特性値検出部124は、ＰＤ112から出力された電流信号を入力し、この電流値に基づいて、光ディスク１０からの反射光（戻り光）から物理特性値を検出してディジタル情報としてＣＰＵ125に出力する。この反射光から検出する物理特性値としては、例えば、記録レーザパワーや記録パルス条件に依存し、且つ記録パルス条件を最適化するのに相応しい特性値であればよく、本実施形態では、β、アシンメトリ(Asymmetry)、位相、振幅、反射率等を検出している。
【００２９】
ＣＰＵ125は、周知のワンチップＣＰＵ素子で、内部にＣＰＵを動作させるためのコンピュータプログラムが格納されているメモリ回路126を備えている。また、ＣＰＵ125は、駆動機構部（図示せず）を制御して光ピックアップ110の位置、トラッキング、フォーカスの調整及び光ディスク１０の回転駆動制御を行うと共に、メモリ127に蓄積されているデータテーブルに基づいて外部から入力されたデータを光ディスク１０に記録する（書き込む）、或いは光ディスク１０に記録されているデータを読み出して外部装置に出力する。また、後述する処理によって光ディスク１０へのデータ記録時におけるテストを行い最適なレーザ光条件を求めて、データの記録を行えるようにしている。
【００３０】
メモリ回路127は、ＣＰＵ125に接続され、内部には、例えば図２に示すような複数の参照データを含むデータテーブルと、このデータテーブルに記載されている各ストラテジデータ種別に対応したストラテジデータ（図示せず）が格納されている。このデータテーブルには、メディア識別情報毎に、記録層に対応させてレーザパワーと、ストラテジデータ種別、データ記録前の反射率ＲＧa等のデータが記録されている。図２に示すデータテーブルでは、メディア識別情報が「001-XXX」のメディアのデータとして、第１記録層L0ではレーザパワーが「20」、ストラテジデータ種別が「AA」、反射率ＲＧaが「30」のデータが記録され、第２記録層L1ではレーザパワーが「24」、ストラテジデータ種別が「AQ」、反射率ＲＧaが「25」のデータが記録されている。また、メディア識別情報が「002-XXX」のメディアのデータとして、第１記録層L0ではレーザパワーが「22」、ストラテジデータ種別が「BB」、反射率ＲＧaが「20」のデータが記録され、第２記録層L1ではレーザパワーが「18」、ストラテジデータ種別が「BI」、反射率ＲＧaが「25」のデータが記録されている。メディア識別情報が「003-XXX」のメディアのデータとして、第１記録層L0ではレーザパワーが「25」、ストラテジデータ種別が「CD」、反射率ＲＧaが「18」のデータが記録され、第２記録層L1ではレーザパワーが「26」、ストラテジデータ種別が「DD」、反射率ＲＧaが「18」のデータが記録されている。
【００３１】
Ｉ／Ｆ128はＣＰＵと外部の表示部131及び操作部132を接続するためのインタフェースであると共に、外部装置とＣＰＵ125との間の記録・再生データの転送を行う。
【００３２】
上記構成では、ＬＤ111から出力されたレーザ光を用いて、光ディスク１０に対する情報の記録再生を行い、パーソナルコンピュータ（ＰＣ）等の外部装置との間でデータの送受信を行う。尚、光記録装置100は、光ディスク１０へデータを記録するときに、第１記録層１１、第２記録１２の順に情報の記録を行うものである。
【００３３】
光ディスク１０に対して情報の記録を行う場合は、記録データを符号化し、この符号化した記録データをＣＰＵ125で処理することで、光ディスク１０に対する記録条件となるストラテジを決定し、このストラテジをＬＤドライバ121で記録パルスに変換し、この記録パルスに基づいてパルス化されたレーザ光をＬＤ111から出力する。
【００３４】
ＬＤドライバ121は、入力された記録パルスに基づいてＬＤ111を駆動し、ＬＤ111はこの記録パルスに対応して出力レーザ光を制御し、この制御されたレーザ光をコリメートレンズ113、ビームスプリッタ116、対物レンズ114を介して、線速度一定若しくは回転速度一定で回転する光ディスク１０に照射し、これにより光ディスク１０に、所望の記録データに対応したピットとスペース列からなる記録パターンが記録される。
【００３５】
また、光ディスク１０にデータを記録する際には、周知のように光ディスク１０のテスト領域にテストデータの記録及びその再生を行って最適なレーザ光の照射条件を決定する。本実施形態の光記録装置100では、このレーザ光の照射条件を決定するテスト時間を従来よりも短縮することができる。
【００３６】
以下に、本実施形態におけるレーザ光の照射条件を決定する方法に関して詳細に説明する。
【００３７】
図３及び図４は第１実施形態における記録層への記録処理を説明するフローチャートである。この処理を実行するコンピュータプログラムはＣＰＵ125のメモリ回路126に予め記憶されており、ＣＰＵ125によってこれらの処理が行われる。また、本実施形態では光ディスク１０の第１記録層１１へデータを記録する際のテスト処理では記録層の物理特性値として反射率を検出する処理を行っている。また、第１記録層１１以外の記録層へデータを記録する際のテスト処理は第１記録層１１におけるテスト処理とは異なり、その時間を短縮できるようにしている。
【００３８】
即ち、第１記録層１１にデータを記録する際には、図３に示す処理を実行する。処理を開始すると、従来と同様の記録レーザ光強度最適化（ＯＰＣ：Optimum Power Control ，以下ＯＰＣと称する）によって調整用データパターンを用いてレーザパワー調整用テスト記録とパルス幅調整用テスト記録によるテストを所定回数行い、記録したデータを再生すると共に、再生用パワーのレーザ光を照射してデータ記録前の反射率ＲＧaを検出する（ＳＡ１）。この後、レーザ光照射条件におけるパラメータを検出する（ＳＡ２）。このパラメータとしては、例えば、ＤＶＤの場合はβ(Asymmetry)、レーザ光照射パワー、パルスの位相等が挙げられる。また、レーザパワー調整用テスト記録は段階的にレーザパワーを変化させて行い、パルス幅調整用テスト記録は同様に段階的にパルス幅を変化させて行う。尚、上記パラメータを検出する際に、メモリ127に記憶されているストラテジテーブルのデータを用いることができる場合はそれを用い、メモリ127に記憶されているストラテジテーブルのデータを用いることができない未知の種類の光ディスク１０の場合は周知のオートストラテジ検出処理を行うことになる。
【００３９】
次いで、上記求めたパラメータから特性関係式を導出する（ＳＡ３）。この特性関係式としては、例えば、レーザパワーとβとの関係を表した特性関係式、レーザパワーとパルス位相すなわちパルスの立ち上がり及び立ち下がりの位置ズレと位相との関係における位相補正パラメータを表した特性関係式、パルスの立ち上がり及び立ち下がりの位置ズレとの関係におけるパルス位相補正パラメータを表した特性関係式を導出する。ここでは、レーザパワーを段階的に変化させて記録したテストデータから２種類のパラメータ、すなわちレーザパワーとβとの関係を表した特性関係式と、レーザパワーとパルス位相すなわちパルスの立ち上がり及び立ち下がりの位置ズレとの関係における位相補正パラメータを表した特性関係式を導出している。
【００４０】
この後、上記求めた特性関係式から得られたパラメータを用いてレーザパワーとパルス幅の最適記録パルス条件を導出し（ＳＡ４）、この最適記録パルス条件を用いて第１記録層１１への実際のデータ記録を行う（ＳＡ５）。
【００４１】
また、データ記録を第１記録層１１以外の記録層、ここでは第２記録層１２に行う場合は、まず、再生用パワーのレーザ光を照射してデータ記録前の反射率ＲＧaを検出する（ＳＢ１）。次に、検出した反射率ＲＧaと一致する反射率ＲＧaを有する記録メディアがメモリ127のデータテーブルに記録されているか否かを判定する（ＳＢ２）。この判定の結果、一致する反射率ＲＧaを有する記録メディアがメモリ127のデータテーブルに記録されているときは、反射率ＲＧaが等しい記録メディアの参照データをデータテーブルから抽出し（ＳＢ３）、この参照データのレーザパワーとストラテジデータ種別を、記録対象となる記録メディアの最適記録パルス条件（最適値）として決定し（ＳＢ４）、この最適記録パルス条件を用いて第２記録層１２へデータ記録を行う（ＳＢ７）。
【００４２】
また、前記ＳＢ２の判定の結果、一致する反射率ＲＧaを有する記録メディアがメモリ127のデータテーブルに記録されていないときは、検出した反射率に最も近い反射率ＲＧaを有する記録メディアの参照データをデータテーブルから抽出し（ＳＢ５）、この参照データのレーザパワーとストラテジデータ種別に対して所定の演算を施して、記録対象となる記録メディアの最適記録パルス条件（最適値）として算出し（ＳＢ６）、この最適記録パルス条件を用いて第２記録層１２へデータ記録を行う（ＳＢ７）。
【００４３】
例えば、図５に示すように、第１記録層１１の反射率ＲＧaとして「20」が検出され、第２記録層１２の反射率として「25」が検出されたときは、前述したデータテーブルにおけるメディア識別情報「002-XXX」の参照データが一致するものとして抽出され、この参照データに記録されているレーザパワー「18」とストラテジデータ種別「BI」のストラテジデータを用いて第２記録層１２へデータの記録が行われる。
【００４４】
尚、本実施形態では、上記の最適記録パルス条件を算出する演算として第１記録層１１の反射率ＲＧa1と第２記録層１２の反射率ＲＧa2との比を用い、第１記録層１１におけるレーザパワーとストラテジデータ種別を基準として第２記録層１２におけるレーザパワーとストラテジデータ種別を求めている。
【００４５】
前述したように本実施形態によれば、第１記録層１１におけるレーザパワー及びストラテジデータ種別の記録条件及び物理特性値としての反射率ＲＧa並びに第２記録層１２における反射率ＲＧaに一致する参照データがデータテーブルから抽出され、抽出された参照データにおける記録条件が情報記録対象となる記録メディア（記録媒体）の最適記録パルス条件（記録条件）とされるので、未知の種類の記録メディアや特性バラツキのある記録メディアであっても、第２記録層１２の最適記録パルス条件をテスト記録を行わずに短時間で最適調整することができると共に、記録装置や、記録媒体、記録速度等の記録条件が異なっても高品位な記録が可能となる。
【００４６】
また、第１記録層１１におけるレーザパワー及びストラテジデータ種別の記録条件及び物理特性値としての反射率ＲＧa並びに第２記録層１２における反射率に一致する参照データが存在しないときも、第１記録層１１におけるレーザパワー及びストラテジデータ種別の記録条件及び物理特性値としての反射率ＲＧa並びに第２記録層１２における反射率に最も近い参照データがデータテーブルから抽出され、抽出された参照データの記録条件と反射率ＲＧaとの間の相関関係に基づいて、情報記録対象となる記録メディアの第２記録層１２への情報の記録に適した最適記録パルス条件が導出されるので、未知の種類の記録メディアや特性バラツキのある記録メディアであっても、第２記録層１２の最適記録パルス条件をテスト記録を行わずに短時間で最適調整することができると共に、記録装置や、記録媒体、記録速度等の記録条件が異なっても高品位な記録が可能となる。
【００４７】
また、本実施形態の光記録装置100によれば、上記光記録方法を容易に実現することができる。さらに、本実施形態のマイクロＣＰＵ素子125によれば、上記光記録方法を容易に実現することができる。また、本実施形態のコンピュータプログラムによれば、任意のＣＰＵを用いて上記光記録装置100及び光記録方法を容易に実現することができる。
【００４８】
尚、上記実施形態では光ディスク１０として周知の多層型ＤＶＤを用いた例を挙げて説明したが、光ディスク１０としてＨＤ−ＤＶＤを用いたときも同様の処理にて上記効果を得ることができる。また、光ディスク１０として周知のＢｌｕ−ｒａｙディスクを用いる場合はＤＶＤとは規格が異なるため、第１記録層１１においては、レーザパワーとアシンメトリー（Asymmetry）との関係を表した特性関係式と、レーザパワーと振幅との関係における位相補正パラメータを表した特性関係式と、パルスの立ち上がり及び立ち下がりの位置ズレと位相との関係におけるパルス位相補正パラメータを表した特性関係式を導出することにより、第１記録層１１における最適記録パルス条件を求めることができる。
【００４９】
次に、本発明の第２実施形態を説明する。
【００５０】
本実施形態における装置構成は前述した第１実施形態と同様であり、第１実施形態との相違点は、第２実施形態では記録処理が異なるコンピュータプログラムを格納したＣＰＵ125を用いていることである。以下の説明において第１実施形態と同一構成部分は同一符号を用いて説明する。
【００５１】
図６及び図７は第２実施形態における記録層への記録処理を説明するフローチャートである。この処理を実行するコンピュータプログラムはＣＰＵ125のメモリ回路126に予め記憶されており、ＣＰＵ125によってこれらの処理が行われる。
【００５２】
本実施形態において、第１記録層１１にデータを記録する際には、図６に示すように、調整用データパターンを用いたＯＰＣによってレーザパワー調整用テスト記録とパルス幅調整用テスト記録によるテストを所定回数行い、記録したデータを再生すると共に、再生用パワーのレーザ光を照射してデータ記録前の反射率ＲＧaを検出する（ＳＣ１）。この後、レーザ光照射条件におけるパラメータを検出する（ＳＣ２）。このパラメータとしては、例えば、ＤＶＤの場合はβ(Asymmetry)、レーザ光照射パワー、パルスの位相等が挙げられる。また、レーザパワー調整用テスト記録は段階的にレーザパワーを変化させて行い、パルス幅調整用テスト記録は同様に段階的にパルス幅を変化させて行う。尚、上記パラメータを検出する際に、メモリ127に記憶されているストラテジテーブルのデータを用いることができる場合はそれを用い、メモリ127に記憶されているストラテジテーブルのデータを用いることができない未知の種類の光ディスク１０の場合は周知のオートストラテジ検出処理を行うことになる。
【００５３】
次いで、上記求めたパラメータから特性関係式を導出する（ＳＣ３）。この特性関係式としては、例えば、レーザパワーとβとの関係を表した特性関係式、レーザパワーとパルス位相すなわちパルスの立ち上がり及び立ち下がりの位置ズレと位相との関係における位相補正パラメータを表した特性関係式、パルスの立ち上がり及び立ち下がりの位置ズレとの関係におけるパルス位相補正パラメータを表した特性関係式を導出する。ここでは、レーザパワーを段階的に変化させて記録したテストデータから２種類のパラメータ、すなわちレーザパワーとβとの関係を表した特性関係式と、レーザパワーとパルス位相すなわちパルスの立ち上がり及び立ち下がりの位置ズレとの関係における位相補正パラメータを表した特性関係式を導出している。
【００５４】
この後、上記求めた特性関係式から得られたパラメータを用いてレーザパワーとパルス幅の最適記録パルス条件を導出し（ＳＣ４）、この最適記録パルス条件を用いて第１記録層１１への実際のデータ記録を行う（ＳＣ５）。
【００５５】
また、データ記録を第１記録層１１以外の記録層、ここでは第２記録層１２に行う場合は、図７に示すように、再生用パワーのレーザ光を照射してデータ記録前の反射率ＲＧaを検出する（ＳＤ１）。次に、検出した反射率ＲＧaと一致する反射率ＲＧaを有する記録メディアがメモリ127のデータテーブルに記録されているか否かを判定する（ＳＤ２）。この判定の結果、一致する反射率ＲＧaを有する記録メディアがメモリ127のデータテーブルに記録されているときは、反射率ＲＧaが等しい記録メディアの参照データをデータテーブルから抽出し（ＳＤ３）、この参照データのレーザパワーとストラテジデータ種別を、記録対象となる記録メディアの最適記録パルス条件（最適値）として決定し（ＳＤ４）、後述するＳＤ７の処理に移行する。
【００５６】
また、前記ＳＤ２の判定の結果、一致する反射率ＲＧaを有する記録メディアがメモリ127のデータテーブルに記録されていないときは、検出した反射率に最も近い反射率ＲＧaを有する記録メディアの参照データをデータテーブルから抽出し（ＳＤ５）、この参照データのレーザパワーとストラテジデータ種別に対して所定の演算を施して、記録対象となる記録メディアの最適記録パルス条件（最適値）として算出する（ＳＤ６）。
【００５７】
例えば、図８に示すように、第１記録層１１の反射率ＲＧaとして「21」が検出され、第２記録層１２の反射率として「26」が検出されたときは、前述したデータテーブルにおけるメディア識別情報「002-XXX」の参照データが最も近いものとして抽出され、この参照データに記録されているレーザパワー「18」とストラテジデータ種別「BI」のストラテジデータに対して所定の演算が施されて、記録対象となる記録メディアの最適記録パルス条件が算出される。
【００５８】
この後、前記ＳＤ４或いはＳＤ６の処理によって求めた最適記録パルス条件を用いて第２記録層１２のテスト領域に、調整用データパターンを用いたＯＰＣによって所定の記録速度にてレーザパワー調整用テスト記録によるテストを所定回数行い、記録したデータを再生し、この最適記録パルス条件が所望する記録速度で適用可能であるか否かを判定する（ＳＤ７）。
【００５９】
前記ＳＤ７の判定の結果、適用可能であるときは後述するＳＤ１０の処理に移行し、適用不可能であるときは記録速度を低下させた所定記録速度に設定するか或いは記録を中止に設定し（ＳＤ８）、記録中止か否かを判定して（ＳＤ９）、記録中止のときは後述するＳＤ１２の処理に移行し、記録速度を低下させて設定したときは前記ＳＤ７の処理に移行する。
【００６０】
前記ＳＤ７の判定の結果、前記最適値が所望する記録速度に適用可能であるときは、判断結果及びその処理内容の情報を、光ディスク１０に記録する共にメモリ127に光ディスク１０のメディア識別情報に対応させて記録する（ＳＤ１０）。
【００６１】
この後、前記求めた最適記録パルス条件を用いて光ディスク１０へのデータ記録を行う（ＳＤ１１）。次いで、上記の判断結果と処理内容を表示部131に表示して（ＳＤ１３）、第２記録層１２へのデータ記録を終了する。
【００６２】
前述したように本実施形態によれば、第１記録層１１におけるレーザパワー及びストラテジデータ種別の記録条件及び物理特性値としての反射率ＲＧa並びに第２記録層１２における反射率ＲＧaに一致する参照データがデータテーブルから抽出され、抽出された参照データにおける記録条件が情報記録対象となる記録メディア（記録媒体）の最適記録パルス条件（記録条件）とされるので、未知の種類の記録メディアや特性バラツキのある記録メディアであっても、第２記録層１２の最適記録パルス条件をテスト記録を行わずに短時間で最適調整することができると共に、記録装置や、記録媒体、記録速度等の記録条件が異なっても高品位な記録が可能となる。
【００６３】
また、第１記録層１１におけるレーザパワー及びストラテジデータ種別の記録条件及び物理特性値としての反射率ＲＧa並びに第２記録層１２における反射率に一致する参照データが存在しないときも、第１記録層１１におけるレーザパワー及びストラテジデータ種別の記録条件及び物理特性値としての反射率ＲＧa並びに第２記録層１２における反射率に最も近い参照データがデータテーブルから抽出され、抽出された参照データの記録条件と反射率ＲＧaとの間の相関関係に基づいて、情報記録対象となる記録メディアの第２記録層１２への情報の記録に適した最適記録パルス条件が導出されるので、未知の種類の記録メディアや特性バラツキのある記録メディアであっても、第２記録層１２の最適記録パルス条件をテスト記録を行わずに短時間で最適調整することができると共に、記録装置や、記録媒体、記録速度等の記録条件が異なっても高品位な記録が可能となる。
【００６４】
また、本実施形態の光記録装置100によれば、上記光記録方法を容易に実現することができる。さらに、本実施形態のマイクロＣＰＵ素子125によれば、上記光記録方法を容易に実現することができる。また、本実施形態のコンピュータプログラムによれば、任意のＣＰＵを用いて上記光記録装置100及び光記録方法を容易に実現することができる。
【００６５】
尚、上記実施形態では光ディスク１０として周知の多層型ＤＶＤを用いた例を挙げて説明したが、光ディスク１０としてＨＤ−ＤＶＤを用いたときも同様の処理にて上記効果を得ることができる。また、光ディスク１０として周知のＢｌｕ−ｒａｙディスクを用いる場合にも前述したように処理を変更することにより最適記録パルス条件を求めることができる。
【００６６】
次に、本発明の第３実施形態を説明する。
【００６７】
本実施形態における装置構成は前述した第１実施形態と同様である。第３実施形態における第１記録層１１への記録処理は前述した第２実施形態と同様であり、第２実施形態との相違点は、第３実施形態では、記録速度を低下させても適用不可能であるときは、記録中止に代えて再度ＯＰＣ処理から繰り返すようにしたことであり、このように記録処理が異なるコンピュータプログラムを格納したＣＰＵ125を用いていることである。以下の説明において第１及び第２実施形態と同一構成部分は同一符号を用いて説明する。
【００６８】
図９は第３実施形態における第２記録層１２への記録処理を説明するフローチャートである。この処理を実行するコンピュータプログラムはＣＰＵ125のメモリ回路126に予め記憶されており、ＣＰＵ125によってこれらの処理が行われる。
【００６９】
第２記録層１２にデータを記録する際には、再生用パワーのレーザ光を照射してデータ記録前の反射率ＲＧaを検出する（ＳＥ１）。次に、検出した反射率ＲＧaと一致する反射率ＲＧaを有する記録メディアがメモリ127のデータテーブルに記録されているか否かを判定する（ＳＥ２）。この判定の結果、一致する反射率ＲＧaを有する記録メディアがメモリ127のデータテーブルに記録されているときは、反射率ＲＧaが等しい記録メディアの参照データをデータテーブルから抽出し（ＳＥ３）、この参照データのレーザパワーとストラテジデータ種別を、記録対象となる記録メディアの最適記録パルス条件（最適値）として決定し（ＳＥ４）、後述するＳＥ７の処理に移行する。
【００７０】
また、前記ＳＥ２の判定の結果、一致する反射率ＲＧaを有する記録メディアがメモリ127のデータテーブルに記録されていないときは、検出した反射率に最も近い反射率ＲＧaを有する記録メディアの参照データをデータテーブルから抽出し（ＳＥ５）、この参照データのレーザパワーとストラテジデータ種別に対して所定の演算を施して、記録対象となる記録メディアの最適記録パルス条件（最適値）として算出する（ＳＥ６）。
【００７１】
この後、前記ＳＥ４或いはＳＥ６の処理によって求めた最適記録パルス条件を用いて第２記録層１２のテスト領域に、調整用データパターンを用いたＯＰＣによって所定の記録速度にてレーザパワー調整用テスト記録によるテストを所定回数行い、記録したデータを再生し、この最適記録パルス条件が所望する記録速度で適用可能であるか否かを判定する（ＳＥ７）。
【００７２】
前記ＳＥ７の判定の結果、適用可能であるときは後述するＳＥ１０の処理に移行し、適用不可能であるときは記録速度を低下させた所定記録速度に設定するか或いは記録を中止に設定し（ＳＥ８）、記録中止か否かを判定して（ＳＥ９）、記録中止のときは前述したＳＥ１の処理に移行し、記録速度を低下させて設定したときは前記ＳＥ７の処理に移行する。
【００７３】
前記ＳＥ７の判定の結果、前記最適値が所望する記録速度に適用可能であるときは、判断結果及びその処理内容の情報を、光ディスク１０に記録する共にメモリ127に光ディスク１０のメディア識別情報に対応させて記録する（ＳＥ１０）。
【００７４】
この後、前記求めた最適記録パルス条件を用いて光ディスク１０へのデータ記録を行う（ＳＥ１１）。次いで、上記の判断結果と処理内容を表示部131に表示して（ＳＥ１３）、第２記録層１２へのデータ記録を終了する。
【００７５】
前述したように本実施形態によれば、第１記録層１１におけるレーザパワー及びストラテジデータ種別の記録条件及び物理特性値としての反射率ＲＧa並びに第２記録層１２における反射率ＲＧaに一致する参照データがデータテーブルから抽出され、抽出された参照データにおける記録条件が情報記録対象となる記録メディア（記録媒体）の最適記録パルス条件（記録条件）とされるので、未知の種類の記録メディアや特性バラツキのある記録メディアであっても、第２記録層１２の最適記録パルス条件をテスト記録を行わずに短時間で最適調整することができると共に、記録装置や、記録媒体、記録速度等の記録条件が異なっても高品位な記録が可能となる。
【００７６】
また、第１記録層１１におけるレーザパワー及びストラテジデータ種別の記録条件及び物理特性値としての反射率ＲＧa並びに第２記録層１２における反射率に一致する参照データが存在しないときも、第１記録層１１におけるレーザパワー及びストラテジデータ種別の記録条件及び物理特性値としての反射率ＲＧa並びに第２記録層１２における反射率に最も近い参照データがデータテーブルから抽出され、抽出された参照データの記録条件と反射率ＲＧaとの間の相関関係に基づいて、情報記録対象となる記録メディアの第２記録層１２への情報の記録に適した最適記録パルス条件が導出されるので、未知の種類の記録メディアや特性バラツキのある記録メディアであっても、第２記録層１２の最適記録パルス条件をテスト記録を行わずに短時間で最適調整することができると共に、記録装置や、記録媒体、記録速度等の記録条件が異なっても高品位な記録が可能となる。
【００７７】
また、本実施形態の光記録装置100によれば、上記光記録方法を容易に実現することができる。さらに、本実施形態のマイクロＣＰＵ素子125によれば、上記光記録方法を容易に実現することができる。また、本実施形態のコンピュータプログラムによれば、任意のＣＰＵを用いて上記光記録装置100及び光記録方法を容易に実現することができる。
【００７８】
尚、上記実施形態では光ディスク１０として周知の多層型ＤＶＤを用いた例を挙げて説明したが、光ディスク１０としてＨＤ−ＤＶＤを用いたときも同様の処理にて上記効果を得ることができる。また、光ディスク１０として周知のＢｌｕ−ｒａｙディスクを用いる場合にも前述したように処理を変更することにより最適記録パルス条件を求めることができる。
【００７９】
次に、本発明の第４実施形態を説明する。
【００８０】
本実施形態における装置構成は前述した第１実施形態と同様であるが、メモリ127には図１０に示すデータテーブルが格納されている。このデータテーブル図２に示したデータテーブルの参照データに対してデータ記録後の反射率ＲＧbの値を付加したものである。即ち、このデータテーブルには、メディア識別情報毎に、記録層に対応させてレーザパワーと、ストラテジデータ種別、データ記録前の反射率ＲＧa、記録後の反射率ＲＧb等のデータが記録されている。図１０に示すデータテーブルでは、メディア識別情報が「001-XXX」のメディアのデータとして、第１記録層L0ではレーザパワーが「20」、ストラテジデータ種別が「AA」、反射率ＲＧaが「30」、反射率ＲＧbが「17」のデータが記録され、第２記録層L1ではレーザパワーが「24」、ストラテジデータ種別が「AQ」、反射率ＲＧaが「25」、反射率ＲＧbが「12」のデータが記録されている。また、メディア識別情報が「002-XXX」のメディアのデータとして、第１記録層L0ではレーザパワーが「22」、ストラテジデータ種別が「BB」、反射率ＲＧaが「20」、反射率ＲＧbが「16」のデータが記録され、第２記録層L1ではレーザパワーが「18」、ストラテジデータ種別が「BI」、反射率ＲＧaが「25」、反射率ＲＧbが「18」のデータが記録されている。メディア識別情報が「003-XXX」のメディアのデータとして、第１記録層L0ではレーザパワーが「25」、ストラテジデータ種別が「CD」、反射率ＲＧaが「18」、反射率ＲＧbが「13」のデータが記録され、第２記録層L1ではレーザパワーが「26」、ストラテジデータ種別が「DD」、反射率ＲＧaが「18」、反射率ＲＧbが「13」のデータが記録されている。
【００８１】
さらに、第４実施形態と第１実施形態との相違点は、第４実施形態では記録処理が異なるコンピュータプログラムを格納したＣＰＵ125を用いていることである。以下の説明において第１実施形態と同一構成部分は同一符号を用いて説明する。
【００８２】
図１１及び図１２は第４実施形態における記録層への記録処理を説明するフローチャートである。この処理を実行するコンピュータプログラムはＣＰＵ125のメモリ回路126に予め記憶されており、ＣＰＵ125によってこれらの処理が行われる。また、本実施形態では光ディスク１０の第１記録層１１へデータを記録する際のテスト処理は従来とほぼ同様であるが、記録層の物理特性値として反射率を検出する処理が加えられている。また、第１記録層１１以外の記録層へデータを記録する際のテスト処理は第１記録層１１におけるテスト処理とは異なり、その時間を短縮できるようにしている。
【００８３】
本実施形態において、第１記録層１１にデータを記録する際には、図１１に示すように、調整用データパターンを用いたＯＰＣによってレーザパワー調整用テスト記録とパルス幅調整用テスト記録によるテストを所定回数行い、記録したデータを再生すると共に、再生用パワーのレーザ光を照射してデータ記録前の反射率ＲＧaとデータ記録後の反射率ＲＧbを検出する（ＳＦ１）。この後、レーザ光照射条件におけるパラメータを検出する（ＳＦ２）。このパラメータとしては、例えば、ＤＶＤの場合はβ(Asymmetry)、レーザ光照射パワー、パルスの位相等が挙げられる。また、レーザパワー調整用テスト記録は段階的にレーザパワーを変化させて行い、パルス幅調整用テスト記録は同様に段階的にパルス幅を変化させて行う。尚、上記パラメータを検出する際に、メモリ127に記憶されているストラテジテーブルのデータを用いることができる場合はそれを用い、メモリ127に記憶されているストラテジテーブルのデータを用いることができない未知の種類の光ディスク１０の場合は周知のオートストラテジ検出処理を行うことになる。
【００８４】
次いで、上記求めたパラメータから特性関係式を導出する（ＳＦ３）。この特性関係式としては、例えば、レーザパワーとβとの関係を表した特性関係式、レーザパワーとパルス位相すなわちパルスの立ち上がり及び立ち下がりの位置ズレと位相との関係における位相補正パラメータを表した特性関係式、パルスの立ち上がり及び立ち下がりの位置ズレとの関係におけるパルス位相補正パラメータを表した特性関係式を導出する。ここでは、レーザパワーを段階的に変化させて記録したテストデータから２種類のパラメータ、すなわちレーザパワーとβとの関係を表した特性関係式と、レーザパワーとパルス位相すなわちパルスの立ち上がり及び立ち下がりの位置ズレとの関係における位相補正パラメータを表した特性関係式を導出している。
【００８５】
この後、上記求めた特性関係式から得られたパラメータを用いてレーザパワーとパルス幅の最適記録パルス条件を導出し（ＳＦ４）、この最適記録パルス条件を用いて第１記録層１１への実際のデータ記録を行う（ＳＦ５）。
【００８６】
また、データ記録を第１記録層１１以外の記録層、ここでは第２記録層１２に行う場合は、図１２に示すように、再生用パワーのレーザ光を照射してデータ記録前の反射率ＲＧaを検出する（ＳＧ１）。次に、検出した反射率ＲＧaと一致する反射率ＲＧaを有する記録メディアがメモリ127のデータテーブルに記録されているか否かを判定する（ＳＧ２）。この判定の結果、一致する反射率ＲＧaを有する記録メディアがメモリ127のデータテーブルに記録されているときは、反射率ＲＧaが等しい記録メディアの参照データをデータテーブルから抽出し（ＳＧ３）、この参照データのレーザパワーとストラテジデータ種別を、記録対象となる記録メディアの最適記録パルス条件（最適値）として決定し（ＳＧ４）、後述するＳＧ７の処理に移行する。
【００８７】
また、前記ＳＧ２の判定の結果、一致する反射率ＲＧaを有する記録メディアがメモリ127のデータテーブルに記録されていないときは、検出した反射率に最も近い反射率ＲＧaを有する記録メディアの参照データをデータテーブルから抽出し（ＳＧ５）、この参照データのレーザパワーとストラテジデータ種別に対して所定の演算を施して、記録対象となる記録メディアの最適記録パルス条件（最適値）として算出する（ＳＧ６）。
【００８８】
例えば、図１３に示すように、第１記録層１１の反射率ＲＧaとして「20」が、反射率ＲＧbとして「16」がそれぞれ検出され、第２記録層１２の反射率として「25」が検出され、また第１記録層１１における最適記録パルス条件としてレーザパワー「21.8」とストラテジデータ種別「BC」が導出されたときは、前述したデータテーブルにおけるメディア識別情報「002-XXX」の参照データが最も近いものとして抽出され、この参照データに記録されている第１記録層１１(L0)のレーザパワー「22」とストラテジデータ種別「BB」のストラテジデータに対して所定の演算が施されて、記録対象となる記録メディアの最適記録パルス条件が算出される。例えば、第２記録層１２のレーザパワーとしては、21.8×(18/22)=17.8が導出される。
【００８９】
この後、前記ＳＧ４或いはＳＧ６の処理によって求めた最適記録パルス条件を用いて第２記録層１２のテスト領域に、調整用データパターンを用いたＯＰＣによって所定の記録速度にてレーザパワー調整用テスト記録によるテストを所定回数行い、記録したデータを再生し、この最適記録パルス条件が所望する記録速度で適用可能であるか否かを判定する（ＳＧ７）。
【００９０】
前記ＳＧ７の判定の結果、適用可能であるときは後述するＳＧ１０の処理に移行し、適用不可能であるときは記録速度を低下させた所定記録速度に設定するか或いは記録を中止に設定し（ＳＧ８）、記録中止か否かを判定して（ＳＧ９）、記録中止のときは後述するＳＧ１２の処理に移行し、記録速度を低下させて設定したときは前記ＳＧ７の処理に移行する。
【００９１】
前記ＳＧ７の判定の結果、前記最適値が所望する記録速度に適用可能であるときは、判断結果及びその処理内容の情報を、光ディスク１０に記録すると共にメモリ127に光ディスク１０のメディア識別情報に対応させて記録する（ＳＧ１０）。
【００９２】
この後、前記求めた最適記録パルス条件を用いて光ディスク１０へのデータ記録を行う（ＳＧ１１）。次いで、上記の判断結果と処理内容を表示部131に表示して（ＳＧ１３）、第２記録層１２へのデータ記録を終了する。
【００９３】
前述したように本実施形態によれば、第１記録層１１におけるレーザパワー及びストラテジデータ種別の記録条件及び物理特性値としての反射率ＲＧa並びに第２記録層１２における反射率ＲＧaに一致する参照データがデータテーブルから抽出され、抽出された参照データにおける記録条件が情報記録対象となる記録メディア（記録媒体）の最適記録パルス条件（記録条件）とされるので、未知の種類の記録メディアや特性バラツキのある記録メディアであっても、第２記録層１２の最適記録パルス条件をテスト記録を行わずに短時間で最適調整することができると共に、記録装置や、記録媒体、記録速度等の記録条件が異なっても高品位な記録が可能となる。
【００９４】
また、第１記録層１１におけるレーザパワー及びストラテジデータ種別の記録条件及び物理特性値としての反射率ＲＧa並びに第２記録層１２における反射率に一致する参照データが存在しないときも、第１記録層１１におけるレーザパワー及びストラテジデータ種別の記録条件及び物理特性値としての反射率ＲＧa並びに第２記録層１２における反射率に最も近い参照データがデータテーブルから抽出され、抽出された参照データの記録条件と反射率ＲＧaとの間の相関関係に基づいて、情報記録対象となる記録メディアの第２記録層１２への情報の記録に適した最適記録パルス条件が導出されるので、未知の種類の記録メディアや特性バラツキのある記録メディアであっても、第２記録層１２の最適記録パルス条件をテスト記録を行わずに短時間で最適調整することができると共に、記録装置や、記録媒体、記録速度等の記録条件が異なっても高品位な記録が可能となる。
【００９５】
また、本実施形態の光記録装置100によれば、上記光記録方法を容易に実現することができる。さらに、本実施形態のマイクロＣＰＵ素子125によれば、上記光記録方法を容易に実現することができる。また、本実施形態のコンピュータプログラムによれば、任意のＣＰＵを用いて上記光記録装置100及び光記録方法を容易に実現することができる。
【００９６】
尚、上記実施形態では光ディスク１０として周知の多層型ＤＶＤを用いた例を挙げて説明したが、光ディスク１０としてＨＤ−ＤＶＤを用いたときも同様の処理にて上記効果を得ることができる。また、光ディスク１０として周知のＢｌｕ−ｒａｙディスクを用いる場合にも前述したように処理を変更することにより最適記録パルス条件を求めることができる。
【００９７】
次に、本発明の第５実施形態を説明する。
【００９８】
本実施形態における装置構成は前述した第１実施形態と同様である。第５実施形態における第１記録層１１への記録処理は前述した第４実施形態と同様であり、第２実施形態との相違点は、第５実施形態では、記録速度を低下させても適用不可能であるときは、記録中止に代えて再度ＯＰＣ処理から繰り返すようにしたことであり、このように記録処理が異なるコンピュータプログラムを格納したＣＰＵ125を用いていることである。以下の説明において第１及び第４実施形態と同一構成部分は同一符号を用いて説明する。
【００９９】
図１４は第５実施形態における第２記録層１２への記録処理を説明するフローチャートである。この処理を実行するコンピュータプログラムはＣＰＵ125のメモリ回路126に予め記憶されており、ＣＰＵ125によってこれらの処理が行われる。
【０１００】
第２記録層１２にデータを記録する際には、図１４に示すように、再生用パワーのレーザ光を照射してデータ記録前の反射率ＲＧaを検出する（ＳＨ１）。次に、検出した反射率ＲＧaと一致する反射率ＲＧaを有する記録メディアがメモリ127のデータテーブルに記録されているか否かを判定する（ＳＨ２）。この判定の結果、一致する反射率ＲＧaを有する記録メディアがメモリ127のデータテーブルに記録されているときは、反射率ＲＧaが等しい記録メディアの参照データをデータテーブルから抽出し（ＳＨ３）、この参照データのレーザパワーとストラテジデータ種別を、記録対象となる記録メディアの最適記録パルス条件（最適値）として決定し（ＳＨ４）、後述するＳＨ７の処理に移行する。
【０１０１】
また、前記ＳＨ２の判定の結果、一致する反射率ＲＧaを有する記録メディアがメモリ127のデータテーブルに記録されていないときは、検出した反射率に最も近い反射率ＲＧaを有する記録メディアの参照データをデータテーブルから抽出し（ＳＨ５）、この参照データのレーザパワーとストラテジデータ種別に対して所定の演算を施して、記録対象となる記録メディアの最適記録パルス条件（最適値）として算出する（ＳＨ６）。
【０１０２】
この後、前記ＳＨ４或いはＳＨ６の処理によって求めた最適記録パルス条件を用いて第２記録層１２のテスト領域に、調整用データパターンを用いたＯＰＣによって所定の記録速度にてレーザパワー調整用テスト記録によるテストを所定回数行い、記録したデータを再生し、この最適記録パルス条件が所望する記録速度で適用可能であるか否かを判定する（ＳＨ７）。
【０１０３】
前記ＳＨ７の判定の結果、適用可能であるときは後述するＳＨ１０の処理に移行し、適用不可能であるときは記録速度を低下させた所定記録速度に設定するか或いは記録を中止に設定し（ＳＨ８）、記録中止か否かを判定して（ＳＨ９）、記録中止のときは前述したＳＨ１の処理に移行し、記録速度を低下させて設定したときは前記ＳＨ７の処理に移行する。
【０１０４】
前記ＳＨ７の判定の結果、前記最適値が所望する記録速度に適用可能であるときは、判断結果及びその処理内容の情報を、光ディスク１０に記録すると共にメモリ127に光ディスク１０のメディア識別情報に対応させて記録する（ＳＨ１０）。
【０１０５】
この後、前記求めた最適記録パルス条件を用いて光ディスク１０へのデータ記録を行う（ＳＨ１１）。次いで、上記の判断結果と処理内容を表示部131に表示して（ＳＨ１３）、第２記録層１２へのデータ記録を終了する。
【０１０６】
前述したように本実施形態によれば、第１記録層１１におけるレーザパワー及びストラテジデータ種別の記録条件及び物理特性値としての反射率ＲＧa並びに第２記録層１２における反射率ＲＧaに一致する参照データがデータテーブルから抽出され、抽出された参照データにおける記録条件が情報記録対象となる記録メディア（記録媒体）の最適記録パルス条件（記録条件）とされるので、未知の種類の記録メディアや特性バラツキのある記録メディアであっても、第２記録層１２の最適記録パルス条件をテスト記録を行わずに短時間で最適調整することができると共に、記録装置や、記録媒体、記録速度等の記録条件が異なっても高品位な記録が可能となる。
【０１０７】
また、第１記録層１１におけるレーザパワー及びストラテジデータ種別の記録条件及び物理特性値としての反射率ＲＧa並びに第２記録層１２における反射率に一致する参照データが存在しないときも、第１記録層１１におけるレーザパワー及びストラテジデータ種別の記録条件及び物理特性値としての反射率ＲＧa並びに第２記録層１２における反射率に最も近い参照データがデータテーブルから抽出され、抽出された参照データの記録条件と反射率ＲＧaとの間の相関関係に基づいて、情報記録対象となる記録メディアの第２記録層１２への情報の記録に適した最適記録パルス条件が導出されるので、未知の種類の記録メディアや特性バラツキのある記録メディアであっても、第２記録層１２の最適記録パルス条件をテスト記録を行わずに短時間で最適調整することができると共に、記録装置や、記録媒体、記録速度等の記録条件が異なっても高品位な記録が可能となる。
【０１０８】
また、本実施形態の光記録装置100によれば、上記光記録方法を容易に実現することができる。さらに、本実施形態のマイクロＣＰＵ素子125によれば、上記光記録方法を容易に実現することができる。また、本実施形態のコンピュータプログラムによれば、任意のＣＰＵを用いて上記光記録装置100及び光記録方法を容易に実現することができる。
【０１０９】
尚、上記実施形態では光ディスク１０として周知の多層型ＤＶＤを用いた例を挙げて説明したが、光ディスク１０としてＨＤ−ＤＶＤを用いたときも同様の処理にて上記効果を得ることができる。また、光ディスク１０として周知のＢｌｕ−ｒａｙディスクを用いる場合にも前述したように処理を変更することにより最適記録パルス条件を求めることができる。
【０１１０】
また、前述した各実施形態は本発明の一具体例であって本発明が上記実施形態の構成のみに限定されることはない。例えば、上記各実施形態では、光ディスク１０の各記録層１１，１２における記録パルス条件（記録条件）と相関関係を有する物理特性値として戻り光の反射率ＲＧa，ＲＧbを用いたが、反射率以外であっても各記録層１１，１２における記録パルス条件（記録条件）と相関関係を有するものであれば記録感度や熱伝導率等あるはその他のものを物理特性値として用いて良い。
【０１１１】
また、上記各実施形態では、第１記録層１１を基準として他の記録層１２への照射レーザ光の最適値を短時間で求めるようにしたが、第１記録層以外の記録層を基準として他の記録層への照射レーザ光の最適値を短時間で求めるようにしても良い。また、上記各実施形態ではレーザ光照射面から離れた位置にある第１記録層１１から順に照射面に近い位置にある第２記録層１２へと順に情報記録を行うようにしたがこれに限定されることはなく、第１記録層１１以外の記録層を初めとして情報記録を行うようにしても良い。
【図面の簡単な説明】
【０１１２】
【図１】本発明の第１実施形態における光記録装置の構成及び光ディスクの構成を示す図
【図２】本発明の第１実施形態におけるデータテーブルを示す図
【図３】本発明の第１実施形態における第１記録層への記録処理を説明するフローチャート
【図４】本発明の第１実施形態における第２記録層への記録処理を説明するフローチャート
【図５】本発明の第１実施形態における物理特性値の検出例を説明する図
【図６】本発明の第２実施形態における第１記録層への記録処理を説明するフローチャート
【図７】本発明の第２実施形態における第２記録層への記録処理を説明するフローチャート
【図８】本発明の第１実施形態における物理特性値の検出例を説明する図
【図９】本発明の第３実施形態における第２記録層への記録処理を説明するフローチャート
【図１０】本発明の第４実施形態におけるデータテーブルを示す図
【図１１】本発明の第４実施形態における第１記録層への記録処理を説明するフローチャート
【図１２】本発明の第４実施形態における第２記録層への記録処理を説明するフローチャート
【図１３】本発明の第４実施形態における物理特性値の検出例を説明する図
【図１４】本発明の第５実施形態における第２記録層への記録処理を説明するフローチャート
【図１５】従来例のストラテジテーブルを示す図
【図１６】従来例のストラテジテーブルを示す図
【符号の説明】
【０１１３】
１０…光ディスク（記録媒体）、１１…第１記録層（一の記録層）、１２…第２記録層（他の記録層）、100…光記録装置、110…光ピックアップ、111…レーザダイオード（ＬＤ）、112…フォトディテクタ（ＰＤ）、113…コリメートレンズ、114…対物レンズ、115…検出レンズ、116…ビームスプリッタ、121…ＬＤドライバ、122…スライサ、123…データ復調回路、124…特性値検出部、125…ワンチップＣＰＵ素子（ＣＰＵ）、126…メモリ回路、127…メモリ、128…インタフェース（Ｉ／Ｆ）、131…表示部、132…操作部。
【図１】
0004451822.tif 000002
【図２】
0004451822.tif 000003
【図３】
0004451822.tif 000004
【図４】
0004451822.tif 000005
【図５】
0004451822.tif 000006
【図６】
0004451822.tif 000007
【図７】
0004451822.tif 000008
【図８】
0004451822.tif 000009
【図９】
0004451822.tif 000010
【図１０】
0004451822.tif 000011
【図１１】
0004451822.tif 000012
【図１２】
0004451822.tif 000013
【図１３】
0004451822.tif 000014
【図１４】
0004451822.tif 000015
【図１５】
0004451822.tif 000016
【図１６】
0004451822.tif 000017